(57)【特許請求の範囲】
【請求項１】
特定階の床の一部の上に中間床が設けられており、
この中間床と前記特定階の床との間が収納室とされるとともに、この中間床の上方が屋外に露出する屋外部とされており、
前記中間床のうち上面が、前記屋外部に面して屋外に露出しており、
前記収納室を囲む壁のうち、３面は、前記特定階の床上に設けられる部屋に面することによって屋内に設けられ、当該３面の壁は、この部屋に通じる出入口を備えており、
前記部屋は、前記収納室を介して３方向に設けられるそれぞれ独立した部屋とされていることを特徴とする建物。
【請求項２】
請求項１に記載の建物において、
前記特定階の床上に設けられる部屋には、前記屋外部に面する壁に開口部が設けられていることを特徴とする建物。
【請求項３】
請求項１または２に記載の建物において、
前記屋外部と、この屋外部に面する部屋との間には、これら屋外部と部屋とを連絡する階段が設けられていることを特徴とする建物。
【請求項４】
請求項１〜３のいずれか一項に記載の建物において、
前記中間床には、所定方向に傾斜する水勾配が形成されており、この中間床の傾斜方向の下端には排水溝が設けられていることを特徴とする建物。
【請求項５】
請求項４に記載の建物において、
前記中間床は、前記特定階の床上に設けられる部屋に向かって傾斜しており、この中間床の上面は、植物が植栽される植栽部とされていることを特徴とする建物。
【発明の詳細な説明】
【技術分野】
【０００１】
本発明は、特定階の床の一部の上に設けられた中間床と特定階の床との間が収納室とされた建物に関する。
【背景技術】
【０００２】
特定階の床の一部の上に設けられた中間床と特定階の床との間が収納室とされた建物の一例として、特許文献１に記載のものが知られている。この建物では、上階の床の一部の上に設けられた中間床と上階の床との間が収納室とされており、この収納室に隣接して部屋が設けられている。この収納室の天井高は１．４ｍ程度であり、大人でも腰を屈めた状態で比較的容易に作業を行えるようになっている。
【特許文献１】特開２００７−１８２６９１号公報
【発明の開示】
【発明が解決しようとする課題】
【０００３】
ところで、例えば下階の部屋の上部に位置するルーフバルコニーや、上下階にわたる複数の部屋に周囲を囲まれる中庭等のように、建物本体の外周よりも内側に設けられつつ、屋外に露出する屋外部が建物に設けられる場合がある。
ところが、これらルーフバルコニーや中庭等のような屋外部を上記特許文献１に記載の建物に設ける際は、建物本体内に、収納室のためのスペースと屋外部のためのスペースの双方を別々に確保しなければならない。しかしながら、このように収納室および屋外部の双方のスペースを別々に確保した場合、いずれか一方のスペースだけを確保した場合に比して、建物本体内のその他の居住スペースが狭くなるという問題がある。
【０００４】
本発明の課題は、建物本体内に収納室と屋外部とを併設できるとともに、居住スペースを広く確保することが可能な建物を提供することを目的とする。
【課題を解決するための手段】
【０００５】
請求項１に記載の発明は、建物１であり、例えば図１〜図６に示すように、特定階２の床３の一部の上に中間床４が設けられており、
この中間床４と前記特定階２の床３との間が収納室５とされるとともに、この中間床４の上方が屋外に露出する屋外部６とされており、
前記中間床４のうち上面が、前記屋外部６に面して屋外に露出しており、
前記収納室５を囲む壁５ａのうち、３面は、前記特定階２の床３上に設けられる部屋７に面することによって屋内に設けられ、当該３面の壁５ａは、この部屋７に通じる出入口５ｂを備えており、
前記部屋７は、前記収納室５を介して３方向に設けられるそれぞれ独立した部屋７（リビング７Ａ，部屋７Ｂ，廊下７Ｃ）とされていることを特徴とする。
【０００６】
請求項１に記載の発明によれば、前記中間床４と前記特定階２の床３との間が収納室５とされるとともに、この中間床４の上方が屋外に露出する屋外部６とされているので、これら収納室５と屋外部６とを上下方向に隣接配置させて、建物本体内に収納室５と屋外部６とを併設できる。すなわち、これら収納室５および屋外部６は、平面視において特定階２の床３上の同一箇所に設けられることとなるので、前記収納室５を設けるためのスペースを確保すると同時に、この収納室５の上部に、前記屋外部６を設けるためのスペースを確保することができる。これによって、従来とは異なり、前記収納室５および屋外部６のためのスペースの双方を別々に確保する必要がないので、建物本体内のその他の居住スペースを広く確保することが可能となる。
さらに、前記収納室５は、この収納室５を囲む壁５ａのうち、少なくとも２面が、前記特定階２の床３上に設けられる部屋７に面しているとともに、この部屋７に通じる出入口５ｂを備えているので、これら部屋７と収納室５とを容易に行き来することができ、使い勝手が良い。
【０００７】
請求項２に記載の発明は、例えば図１〜図６に示すように、請求項１に記載の建物１において、
前記特定階２の床３上に設けられる部屋７には、前記屋外部６に面する壁７ａに開口部７ｂが設けられていることを特徴とする。
【０００８】
請求項２に記載の発明によれば、前記特定階２の床３上に設けられる部屋７には、前記屋外部６に面する壁７ａに開口部７ｂが設けられているので、前記屋外部６に射し込む陽光や流れ込む風を、前記開口部７ｂを通じて前記特定階２の床３上に設けられる部屋７に取り込むことができ、快適な居住環境を形成することができる。
【０００９】
請求項３に記載の発明は、例えば図７〜図１０に示すように、請求項１または２に記載の建物１において、
前記屋外部６と、この屋外部６に面する部屋７，８との間には、これら屋外部６と部屋７，８とを連絡する階段９Ａ，９Ｂ，９Ｃ，９Ｄが設けられていることを特徴とする。
【００１０】
請求項３に記載の発明によれば、前記屋外部６と、この屋外部６に面する部屋７，８との間には、これら屋外部６と部屋７，８とを連絡する階段９Ａ，９Ｂ，９Ｃ，９Ｄが設けられているので、この階段９Ａ，９Ｂ，９Ｃ，９Ｄを通じて、前記屋外部６と、この屋外部６に面する部屋７，８との間を容易に行き来でき、使い勝手が良い。
【００１１】
請求項４に記載の発明は、例えば図１１および図１２に示すように、請求項１〜３のいずれか一項に記載の建物１において、
前記中間床４には、所定方向に傾斜する水勾配が形成されており、この中間床４の傾斜方向の下端には排水溝４ａが設けられていることを特徴とする。
【００１２】
請求項４に記載の発明によれば、前記中間床４には、所定方向に傾斜する水勾配が形成されており、この中間床４の傾斜方向の下端には排水溝４ａが設けられているので、前記屋外部６に溜まる雨水等の水分を確実に排水でき、建物１内に雨水等が流入することを確実に防ぐことができる。
【００１３】
請求項５に記載の発明は、例えば図１２に示すように、請求項４に記載の建物１において、
前記中間床４は、前記特定階２の床３上に設けられる部屋７に向かって傾斜しており、この中間床４の上面は、植物１０ａが植栽される植栽部１０とされていることを特徴とする。
【００１４】
請求項５に記載の発明によれば、前記中間床４は、前記特定階２の床３上に設けられる部屋７に向かって傾斜しており、この中間床４の上面は、植物１０ａが植栽される植栽部１０とされているので、前記開口部７ｂを通じて、前記特定階２の床３上に設けられる部屋７から植栽部１０を視認しやすくなり、居住者に安らぎを与えることができるとともに、景観性に優れる。
【発明の効果】
【００１５】
本発明によれば、特定階の床の一部の上に設けられる中間床と特定階の床との間が収納室とされるとともに、この中間床の上方が屋外に露出する屋外部とされているので、これら収納室と屋外部とを上下方向に隣接配置させて、建物本体内に収納室と屋外部とを併設できる。すなわち、これら収納室および屋外部は、平面視において特定階の床上の同一箇所に設けられることとなるので、収納室を設けるためのスペースを確保すると同時に、この収納室の上部に、屋外部を設けるためのスペースを確保することができる。これによって、従来とは異なり、これら収納室および屋外部のためのスペースの双方を別々に確保する必要がなくなるので、建物本体内のその他の居住スペースを広く確保することが可能となる。
さらに、収納室は、この収納室を囲む壁のうち、少なくとも２面が、特定階の床上に設けられる部屋に面しているとともに、この部屋に通じる出入口を備えているので、これら部屋と収納室とを容易に行き来することができ、使い勝手が良い。
【発明を実施するための最良の形態】
【００１６】
以下、図面を参照して本発明の実施の形態について説明する。
【００１７】
本実施の形態の建物１は、図１〜図４に示すように、特定階２の床３の一部の上に中間床４が設けられており、
この中間床４と前記特定階２の床３との間が収納室５とされるとともに、この中間床４の上方が屋外に露出する屋外部６とされており、
前記収納室５を囲む壁５ａのうち、少なくとも２面は、前記特定階２の床３上に設けられる部屋７に面しているとともに、この部屋７に通じる出入口５ｂを備えている。
【００１８】
なお、本実施の形態の建物１は、２階建てで構成されており、１階と２階との間には、階段９が設けられている。
また、前記屋外部６は屋外に露出しているので、雨水等の水分が建物１内に流入しないように防水処理が施されていることは言うまでもない。
【００１９】
前記特定階２とは、前記建物１内の特定の階を指しており、本実施の形態においては、図１〜図３に示すように、２階建ての建物１の１階部分が特定階２とされている。したがって、前記特定階２の床３も、本実施の形態においては、建物１の１階の床３となる。
【００２０】
前記中間床４は、図２および図３に示すように、建物１の１階よりも高く、２階よりも低い位置に設けられることとなる。つまり、この中間床４は、前記特定階２の床３よりも半階上がった位置である中間階に設けられることとなる。
【００２１】
そして、このように前記中間床４が半階上がった位置に設けられているので、この中間床４と前記特定階２の床３との間の収納室５は、所定の天井高を有することとなる。この所定の天井高とは、例えば、１．４ｍである。
【００２２】
なお、この収納室５の天井高は、０．９ｍ〜１．４ｍの高さの範囲内であれば、適宜変更可能である。
すなわち、このように収納室５の天井高を０．９ｍ〜１．４ｍに設定することによって、居住者が収納室５に入って、何とか作業ができる最低限の高さを確保でき、また、このように天井高を必要最低限に押さえることで、建物１の高さが高くなることによって隣接する建物に及ぼす日照現象等の影響を極力少なくすることができる。
【００２３】
また、この収納室５は、周囲を壁５ａに囲まれて構成されており、この壁５ａには、上述のように部屋７に通じる出入口５ｂが設けられることとなる。なお、本実施の形態の収納室５は、図１に示すように、特定階２の床上に設けられる部屋７（リビング７Ａ，部屋７Ｂ，廊下７Ｃ）に通じる出入口５ｂを備えている。
【００２４】
また、前記廊下７Ｃに通じる出入口５ｂと、収納室５との間にはアプローチ５ｃが設けられている。このアプローチ５は、階段９上部の下方に位置しているため、前記収納室５の天井高よりも高い天井高に設定されている。
【００２５】
さらに、前記収納室５は、前記アプローチ５ｃに隣接し、かつ前記階段９の下方に位置する階段下収納９ａを備えており、収納室５の収納力を向上させることができるようになっている。
【００２６】
一方、前記屋外部６は、前記中間床４の上方であって、屋外に露出する箇所を指しており、例えば、バルコニーや中庭等として利用される。
なお、建物１の１階に設けられた収納室５の上方の屋外部６を、例えばバルコニーとして利用した場合、前記屋外部６は１階から半階上がった高さに設定されているので、１階からバルコニーへの連絡が容易である。すなわち、バルコニーにて洗濯干し等の作業する際に、重い洗濯物を持って２階に上がるという負担を軽減できるので、好ましい。
【００２７】
さらに、前記特定階２の床３上に設けられる部屋７には、前記屋外部６に面する壁７ａに開口部７ｂが設けられている。これによって、前記屋外部６に射し込む陽光や流れ込む風を、前記開口部７ｂを通じて前記特定階２の床３上に設けられる部屋７に取り込むことができるので、快適な居住環境を形成できるようになっている。
【００２８】
また、本実施の形態の建物１は、２階の床上に部屋８（８Ａ，８Ｂ，８Ｃ）が設けられており。これら部屋８（８Ａ，８Ｂ，８Ｃ）のうち、部屋８Ａおよび部屋８Ｂの壁８ａが、前記屋外部６に面しているとともに、開口部８ｂを備えている。この開口部８ｂはサッシ窓が取り付けられたものである。
【００２９】
このように、建物１の２階の部屋８も開口部８ｂが設けられているので、建物１の１階と同じく、前記開口部８ｂを通じて前記特定階２の床３上に設けられる部屋８に取り込むことができるので、快適な居住環境を形成できるようになっている。
なお、このような開口部８ｂには、手摺りや柵等を設けるようにして、物品等の落下を防ぐことが好ましい。
【００３０】
また、前記部屋８Ａ，８Ｂには、図３に示すように、前記開口部８ｂに対向して、開口部８Ａａ，８Ｂａがそれぞれ設けられており、前記部屋８Ａ，８Ｂ内を風が通過するようになっている。
【００３１】
なお、本実施の形態の屋外部６は、図１〜図４に示すように、平面視コ字状に形成された建物本体１ａの凹部に設けられ、建物１の１階に配置されているが、これに限るものではない。
【００３２】
すなわち、屋外部６は、図５に示すように、建物１の２階に配置されるとともに、建物本体１ａの角部に設けられるようにしてもよい。つまり、建物本体１ａの角部の外壁面が、他の外壁面よりも、幅方向・奥行き方向・高さ方向に、建物本体１ａの内部側に向かって後退するようにして、略直方体状に凹むように形成されており、このような建物本体１ａの角部の凹部に、収納室５が配置され、この収納室５の上方が屋外部６となっている。
このような図５に示す収納室５は、この収納室５を囲む壁５ａのうちの２面が、特定階２の床３上に設けられる部屋８に面しているとともに、この部屋８に通じる出入口（図示せず）を備え、行き来可能となっている。
また、このような収納室５の上方に位置する屋外部６は、例えばバルコニーとして利用されており、この屋外部６に面する部屋８の壁８ａには、それぞれ開口部８ｂが設けられている。
【００３３】
さらに、屋外部６は、図６に示すように、建物１の１階であって周囲を部屋７で囲まれた位置に配置されるようにしてもよい。つまり、図６に示す収納室５は、この収納室５を囲む壁５ａの４面が、特定階２の床３上に設けられる部屋７に面しているとともに、この部屋７に通じる出入口（図示せず）を備え、行き来可能となっている。
また、このような収納室５の上方に位置する屋外部６は、例えば中庭として利用されており、この屋外部６に面する部屋７，８の壁７ａ，８ａには、それぞれ開口部７ｂ，８ｂが設けられている。
【００３４】
また、以上のような建物１は、図４〜図６に示すように、建物本体１ａの形状が六面体に形成されたものであるが、これに限るものではない。つまり、建物本体１ａが平面視五角形や六角形等でもよい。
【００３５】
一方、図７〜図１０に示すように、前記屋外部６と、この屋外部６に面する部屋７，８との間には、これら屋外部６と部屋７，８とを連絡する階段９Ａ，９Ｂ，９Ｃ，９Ｄが設けられている。
これによって、この階段９Ａ，９Ｂ，９Ｃ，９Ｄを通じて、前記屋外部６と、この屋外部６に面する部屋７，８との間を容易に行き来できるので、使い勝手が良い。
以下に、前記屋外部６と部屋７，８とを連絡する階段９Ａ，９Ｂ，９Ｃ，９Ｄについて説明するが、本実施の形態においては、いずれを採用してもよいものとする。
【００３６】
前記階段９Ａは、図７に示すように、前記収納室５の壁５ａに沿って設けられており、前記特定階２の床３上に設置されることとなる。
【００３７】
前記階段９Ｂは、建物１の上下階を連絡するための階段であり、図８に示すように、前記特定階２の床３上に設置されており、階段の途中に設けられる踊り場９Ｂａが、前記中間床４に隣接して設けられることとなる。
【００３８】
前記階段９Ｃは、図９に示すように、前記中間床４上に設置されており、前記特定階２の床３上に設けられる部屋の壁７ａに沿って設けられることとなる。このような階段９Ｃの場合、前記屋外部６へは、２階から行き来することとなる。
【００３９】
前記階段９Ｄは、図１０に示すように、階段９Ｄに下部に車輪９Ｄａを備えており、この階段９Ｄａそのものを前記収納室５の内部に収納できるようになっている。つまり、階段９Ｄａを出し入れできるようにして、不使用時には、部屋７の居住スペースをより広く確保することが可能となっている。
【００４０】
なお、図１０に示すように、前記屋外部６へと移動する際に、階段９Ｄａが設けられる位置の開口部７ｂの高さ寸法が高さ方向に長いと好ましい。すなわち、開口部７ｂの高さが高くなるので、前記特定階２と屋外部６との行き来がしやすい。この際、階段９Ｄａの上方に位置する上階の床に、その他の床よりも一段高くなった段部８ｃを設けることによって、この段部８ｃの下方の部屋７の一部の天井高が高くなるので、より一層、前記特定階２と屋外部６との行き来がしやすい。
なお、このような開口部７ｂおよび段部８ｃの例は、前記階段９Ａ，９Ｂ，９Ｃにも適用することができることは言うまでもない。
【００４１】
一方、図１１および図１２に示すように、前記中間床４に、所定方向に傾斜する水勾配を形成し、この中間床４の傾斜方向の下端に排水溝４ａを設けるようにしてもよい。
これにより、前記屋外部６に溜まる雨水等の水分を排水でき、建物１内に雨水等が流入することを確実に防げるようになっている。
【００４２】
なお、この中間床４の水勾配は、図１１に示すように、略山状に形成するだけでなく、図示はしないが、略谷状に形成してもよい。このように略谷状に形成した場合は、谷部に沿って排水溝４ａを設けるようにする。
また、前記中間床４の下面、すなわち収納室５の天井は、この中間床４の上面の傾斜に合わせて傾斜させて形成されていてもよく、逆に傾斜せずに水平にまっすぐ形成されていてもよいものとする。
【００４３】
また、前記中間床４が、図１２に示すように、前記特定階２の床３上に設けられる部屋７に向かって傾斜しており、この中間床４の上面は、植物１０ａが植栽される植栽部１０とされていることによって、前記開口部７ｂを通じて、前記特定階２の床３上に設けられる部屋７から植栽部１０を視認しやすくなり、居住者に安らぎを与えることができるとともに、景観性に優れるものとなる。
また、本実施の形態の収納室５の天井高は１．４ｍに設定されているので、前記植栽部１０は、大人が立った際によく見えるようになっている。
【００４４】
前記植物１０ａを植栽する際は、前記中間床４の上面に土壌１０ｂを設ける。または、例えば植物１０ａが根を張り、保水性能を有するような多孔質ブロック等を土壌１０ｂの代わりに用いるようにしてもよい。
【００４５】
本実施の形態によれば、前記中間床４と前記特定階２の床３との間が収納室５とされるとともに、この中間床４の上方が屋外に露出する屋外部６とされているので、これら収納室５と屋外部６とを上下方向に隣接配置させて、建物本体内に収納室５と屋外部６とを併設できる。すなわち、これら収納室５および屋外部６は、平面視において特定階２の床３上の同一箇所に設けられることとなるので、前記収納室５を設けるためのスペースを確保すると同時に、この収納室５の上部に、前記屋外部６を設けるためのスペースを確保することができる。これによって、従来とは異なり、前記収納室５および屋外部６のためのスペースの双方を別々に確保する必要がないので、建物本体内のその他の居住スペースを広く確保することが可能となる。
さらに、前記収納室５は、この収納室５を囲む壁５ａのうち、少なくとも２面が、前記特定階２の床３上に設けられる部屋７に面しているとともに、この部屋７に通じる出入口５ｂを備えているので、これら部屋７と収納室５とを容易に行き来することができ、使い勝手が良い。
【図面の簡単な説明】
【００４６】
【図１】本発明に係る建物の１階を示す平面図である。
【図２】本発明に係る建物の中間階を示す平面図である。
【図３】本発明に係る建物の２階を示す平面図である。
【図４】本発明に係る建物の外観の一例を示す斜視図である。
【図５】本発明に係る建物の外観の一例を示す斜視図である。
【図６】本発明に係る建物の外観の一例を示す斜視図である。
【図７】屋外部と、この屋外部に面する部屋との間に設けられる階段の設置例を示す斜視図である。
【図８】屋外部と、この屋外部に面する部屋との間に設けられる階段の設置例を示す斜視図である。
【図９】屋外部と、この屋外部に面する部屋との間に設けられる階段の設置例を示す斜視図である。
【図１０】屋外部と、この屋外部に面する部屋との間に設けられる階段の設置例を示す断面図である。
【図１１】水勾配が形成された中間床の一例を示す斜視図である。
【図１２】水勾配が形成された中間床の上面の植栽部に植物を植栽した状態を示す断面図である。
【符号の説明】
【００４７】
１  建物
２  特定階
３  床
４  中間床
５  収納室
６  屋外部
【図１】
0005438270.tif 000002
【図２】
0005438270.tif 000003
【図３】
0005438270.tif 000004
【図４】
0005438270.tif 000005
【図５】
0005438270.tif 000006
【図６】
0005438270.tif 000007
【図７】
0005438270.tif 000008
【図８】
0005438270.tif 000009
【図９】
0005438270.tif 000010
【図１０】
0005438270.tif 000011
【図１１】
0005438270.tif 000012
【図１２】
0005438270.tif 000013